(57)【要約】      （修正有）【課題】浴槽のデッドスペースを有効に利用して、電磁切換弁等の駆動系部品を合理的に配置することで、現場での施工性の向上やメンテナンス性が良好になるようにした浴槽を提供する。【解決手段】浴槽１の壁面１ａ〜１ｄに、浴槽１内に噴流を噴出する噴流ノズル３〜５を設けた浴槽において、浴槽１の壁面１ａとフランジ部１ｅとエプロンとで区画される空間内に、噴流ノズル３〜５から噴流を噴出させるための電磁切換弁９，１８等の駆動系部品を配置して、駆動系部品の少なくとも一部は、フランジ部１ｅの裏面に取り付けることにより、比較的広い空間（デッドスペース）を有効に利用して、この空間内に比較的大型の電磁切換弁９，１８等の駆動系部品を合理的に配置する。【選択図】図３
2007283039.tif 000002
【特許請求の範囲】
【請求項１】
浴槽の壁面に、浴槽内に噴流を噴出する噴流ノズルを設けた浴槽において、
前記浴槽の壁面とフランジ部とエプロンとで区画される空間内に、噴流ノズルから噴流を噴出させるための電磁切換弁等の駆動系部品が配置されて、駆動系部品の少なくとも一部は、フランジ部の裏面に取り付けられていることを特徴とする浴槽。
【請求項２】
前記駆動系部品は、浴室の洗い場側のエプロンに近い位置に取り付けられ、駆動系部品のメンテナンス操作部分がエプロン側に臨まされていることを特徴とする請求項１に記載の浴槽。
【請求項３】
前記駆動系部品は、フランジ部の裏面の突出部に固定されたホルダーに取り付けられていることを特徴とする請求項１または２に記載の浴槽。
【請求項４】
前記駆動系部品は、防振部材を介してホルダーに取り付けられていることを特徴とする請求項３に記載の浴槽。
【発明の詳細な説明】
【技術分野】
【０００１】
本発明は、浴槽内に噴流を噴出する噴流ノズルを設けた浴槽に関する。
【背景技術】
【０００２】
従来、浴槽内に噴流を噴出する複数の噴流ノズルを設けた気泡（バブル）浴槽またはジェット水流浴槽が提案されている。
【０００３】
また、浴槽内の湯をポンプで吸い込んで、電磁切換弁を介して噴流ノズルから噴流を噴出させるシステムも提案されている（特許文献１参照）。
【０００４】
このような電磁切換弁等のような駆動系部品は、浴槽の壁面に組み付けたり、浴室の床部分に設けた架台に設置したりしている。
【特許文献１】特開平１１−３４７０８７号公報
【発明の開示】
【発明が解決しようとする課題】
【０００５】
しかしながら、電磁切換弁等のような駆動系部品の配置については、さほどの配慮がされていなかったから、メンテナンス時に手が届きにくい場所に配置されていたり、別体の架台を必要とする等の問題があった。
【０００６】
本発明は、前記問題を解消するためになされたもので、浴槽のデッドスペースを有効に利用して、電磁切換弁等の駆動系部品を合理的に配置することで、現場での施工性の向上やメンテナンス性が良好になるようにした浴槽を提供することを目的とするものである。
【課題を解決するための手段】
【０００７】
前記課題を解決するために、本発明は、浴槽の壁面に、浴槽内に噴流を噴出する噴流ノズルを設けた浴槽において、前記浴槽の壁面とフランジ部とエプロンとで区画される空間内に、噴流ノズルから噴流を噴出させるための電磁切換弁等の駆動系部品が配置されて、駆動系部品の少なくとも一部は、フランジ部の裏面に取り付けられていることを特徴とする浴槽を提供するものである。
【０００８】
メンテナンス性をより良好にするために、前記駆動系部品は、浴室の洗い場側のエプロンに近い位置に取り付けられ、駆動系部品のメンテナンス操作部分がエプロン側に臨まされている構成が好ましい。
【０００９】
デザイン性を良好にするために、前記駆動系部品は、フランジ部の裏面の突出部に固定されたホルダーに取り付けられている構成とすることが好ましい。
【００１０】
静寂性を良好にするために、前記駆動系部品は、防振部材を介してホルダーに取り付けられている構成とすることが好ましい。
【発明の効果】
【００１１】
本発明によれば、浴槽の壁面とフランジ部とエプロンとで区画される比較的広い空間（デッドスペース）を有効に利用して、この空間内に比較的大型の電磁切換弁等の駆動系部品を合理的に配置できるようになる。また、駆動系部品の少なくとも一部をフランジ部の裏面に取り付けるから、浴槽と一体化できるので、現場での施工性が向上するようになる。さらに、浴室の洗い場側のエプロンを外せば、駆動系部品を直ぐに見える位置に配置できるから、メンテナンス時に手が届きやすいので、メンテナンス性が良好になる。
【発明を実施するための最良の形態】
【００１２】
以下、本発明を実施するための最良の形態について、図面を参照しながら詳細に説明する。
【００１３】
図１は、浴室２６の内部斜視図であり、一方側（図では左側）に浴槽１を設置し、他方側（図では右側）が洗い場２７としている。
【００１４】
浴室２６には、ミラー２８、ハンドシャワー２９、カラン（混合水栓）３０等が設置されるとともに、浴槽１の奥側の上部には、浴槽１に給湯・給水するためのカラン（混合水栓）３１が設置されている。浴槽１の洗い場２７側には、取り外し可能なエプロン３２が設けられている。
【００１５】
図２に示すように、入浴者Ｍは、浴槽１の長さ方向の一側の壁面（図では左壁面）１ａに背中を向け、他側の壁面（図では右壁面）１ｂの方向に足を伸ばして入浴するものである。
【００１６】
浴槽１の一側の壁面１ａには、入浴者Ｍの腰部分に向けて噴流ａを噴出する噴流ノズル２が設けられ、浴槽１の他側の壁面１ｂには、入浴者Ｍの足元（足裏）部分に向けて噴流ｂを噴出する噴流ノズル３が設けられ、浴槽１の壁面１ａ，１ｂの間のいずれかの側壁１ｃ（底壁１ｄでも可）には、入浴者Ｍのふくらはぎ部分に向けて噴流ｃを噴出する噴流ノズル４と、入浴者Ｍの太もも部分に向けて噴流ｄを噴出する噴流ノズル５とが設けられている。これらの噴流ノズル２，３，４，５は、気泡（バブル）を噴出するタイプ、ジェット水流を噴出するタイプ、あるいは、気泡を含むジェット水流を噴出するタイプのいずれであっても良い。
【００１７】
浴槽１の壁面１ａ，１ｂの間のいずれかの側壁１ｃには、浴槽１内の湯の吸い込み口７が形成され、この吸い込み口７は、浴槽１外のポンプ８と三方電磁切換弁９、四方電磁切換弁１８とを介して配管１０，１１，１９，２０で噴流ノズル２，３，４，５にそれぞれ接続されている。
【００１８】
また、浴槽１の上方に位置する浴室２６の壁面には、入浴者Ｍが操作可能な操作スイッチ１２が設けられ、この操作スイッチ１２は制御ユニット１４に接続されている。制御ユニット１４からの出力信号によって、ポンプ８が駆動・停止制御されるとともに、三方電磁切換弁９と四方電磁切換弁１８とが切り替え制御されるようになる。
【００１９】
そして、浴槽１に入った入浴者Ｍが操作スイッチ１２をオン操作すると、ポンプ８が駆動されて、浴槽１内の湯が吸い込み口７からポンプ８、三方電磁切換弁９および配管１１を通って、最初に入浴者Ｍの足元（足裏）部分の噴流ノズル３から噴流ｂの噴出を開始する。これにより、腰部分、太もも部分、ふくらはぎ部分よりも皮膚温度が低い足元部分（末梢部分）の温熱効果が先に高まるようになる。
【００２０】
その後、制御ユニット１４からの信号で三方電磁切換弁９が切り替わって、浴槽１内の湯が吸い込み口７からポンプ８、三方電磁切換弁９、配管１０、四方電磁切換弁１８および配管１９を通って、入浴者Ｍのふくらはぎ部分の噴流ノズル４から噴流ｃの噴出を開始する。これにより、ふくらはぎ部分の温熱効果が高まるようになる。
【００２１】
そして、数十秒間隔で制御ユニット１４からの信号で四方電磁切換弁１８が切り替わって、浴槽１内の湯が吸い込み口７からポンプ８、三方電磁切換弁９、配管１０、四方電磁切換弁１８および配管２０を通って、入浴者Ｍの太もも部分の噴流ノズル５から噴流ｄの噴出を開始することにより、太もも部分の温熱効果が高まり、浴槽１内の湯が吸い込み口７からポンプ８、三方電磁切換弁９、配管１０、四方電磁切換弁１８および配管１０を通って、入浴者Ｍの腰部分の噴流ノズル２から噴流ａの噴出を開始することにより、腰部分の温熱効果が高まるようになる。
【００２２】
その後は、噴流ノズル３，４，５，２の順に繰り返して、噴流ｂ，ｃ，ｄ，ａが順に入浴者Ｍに当たるように制御されるようになる。
【００２３】
なお、その後は、噴流ノズル２から噴出し続けても良く、また、任意の時間毎に噴流ノズル２〜５の噴出タイミングを切り替えても良く、さらに、噴流ノズル２〜５が同時に噴出するようにしても良い。
【００２４】
一方、図３に示すように、浴槽１の長さ方向の一側の壁面（図では左壁面）１ａ側と他側の壁面（図では右壁面）１ｂ側には、フランジ部１ｅ，１ｆがそれぞれ形成されていて、浴槽１の一方の壁面１ａとフランジ部１ｅとエプロン３２とで区画される空間内には、電磁切換弁９，１８やポンプ８等の駆動系部品が配置されている。
【００２５】
駆動系部品の少なくとも一部、本実施形態では電磁切換弁９，１８は、浴室２６の洗い場２７側のエプロン３２に近い位置で、フランジ部１ｅの裏面に取り付けられていて、ポンプ８は、浴室２６の洗い場２７側のエプロン３２に近い位置で、一側の壁面１ａの外面に取り付けられている。
【００２６】
具体的には、図４に詳細に示すように、フランジ部１ｅの裏面に発泡樹脂製のブロック（突出部）３３が接着され、このブロック３３のエプロン３２側の面に、逆Ｕ字状のホルダー３４が複数本のビス３５で固定されている。
【００２７】
電磁切換弁９，１８は、上下一体に連結された構造であり、上側の電磁切換弁１８には、貫通孔１８ｂをそれぞれ有する左右一対のブラケット部１８ａが一体形成されている。
【００２８】
ホルダー３４には、電磁切換弁１８の貫通孔１８ｂに対応する貫通孔３４ａがそれぞれ形成され、この貫通孔３４ａにはゴム製ブッシュ（防振部材）３６が嵌め込まれている。
【００２９】
そして、ホルダー３４のブッシュ３６に電磁切換弁１８のブラケット部１８ａを当てがった状態で、エプロン３２側から貫通孔１８ｂにフック状ピン部材３７を差し込んで、ホルダー３４の裏側でワッシャ３８に嵌め込むことで、フック状ピン部材３７により、ホルダー３４に電磁切換弁１８（電磁切換弁９も含む。）が取り付けられるようになる。なお、フック状ピン部材３７とワッシャ３８に代えて、ボルト・ナットを用いても良い。
【００３０】
このように、浴槽１の一方の壁面１ａとフランジ部１ｅとエプロン３２とで区画される比較的広い空間（デッドスペース）を有効に利用して、この空間内に比較的大型の電磁切換弁９，１８やポンプ８等の駆動系部品を合理的に配置できるようになる。
【００３１】
また、駆動系部品の少なくとも一部、本実施形態では電磁切換弁９，１８をフランジ部１ｅの裏面に取り付けるから、浴槽１と一体化できるので、現場での施工性が向上するようになる。
【００３２】
さらに、浴室２６の洗い場２７側のエプロン３２を外せば、駆動系部品（９，１８，８）を直ぐに見える位置に配置できるから、メンテナンス時に手が届きやすいので、メンテナンス性が良好になる。
【００３３】
また、駆動系部品（９，１８，８）を洗い場２７側のエプロン３２に近い位置に取り付け、かつ駆動系部品（９，１８，８）のメンテナンス操作部分（ビス３５やフック状ピン部材３７等）をエプロン３２側に臨ませれば、浴室２６の洗い場２７側のエプロン３２を外せば、直ぐ近くに駆動系部品（９，１８，８）が見えるから、メンテナンス時により手が届きやすくなるとともに、メンテナンス操作部分（ビス３５やフック状ピン部材３７等）がエプロン側に臨んでいるので、メンテナンス性がより良好になる。
【００３４】
さらに、電磁切換弁９，１８をフランジ部１ｅの裏面のブロック（突出部）３３に固定したホルダー３４に取り付けているから、浴槽１の内側面に取り付けビス等が見えないので、デザイン性が良好になるとともに、電磁切換弁９，１８の着脱も容易になる。
【００３５】
また、ゴム製ブッシュ（防振部材）３６を介してホルダー３４に電磁切換弁９，１８を取り付けているから、電磁切換弁９，１８の振動や騒音が浴槽に伝達しにくくなって、静寂性が良好になる。
【図面の簡単な説明】
【００３６】
【図１】浴室の内部斜視図である。
【図２】本発明の実施形態に係る浴槽の側面断面図である。
【図３】図２の浴槽の斜視図である。
【図４】ブロックのホルダーと電磁切換弁との斜視図である。
【符号の説明】
【００３７】
１      浴槽
１ａ    壁面
１ｅ    フランジ部
２〜５  噴流ノズル
７      吸い込み口
８      ポンプ（駆動系部品）
９      三方電磁切換弁（駆動系部品）
１８    四方電磁切換弁（駆動系部品）
２６    浴室
２７    洗い場
３２    エプロン
３３    ブロック（突出部）
３４    ホルダー
３５    ビス
３６    ゴム製ブッシュ（防振部材）
３７    フック状ピン部材
３８    ワッシャ
Ｍ      入浴者
ａ〜ｄ  噴流
【図１】
2007283039.tif 000003
【図２】
2007283039.tif 000004
【図３】
2007283039.tif 000005
【図４】
2007283039.tif 000006